(57)【要約】      （修正有）【課題】省電力動作モードから復帰した際に、省電力動作モードの時に行っていた定着のローラ変形防止処理や昇温抑制処理等を、精度良く所望のタイミングで行うことが可能な画像形成装置の提供。【解決手段】エンジン制御部２０３は省電力動作モードから復帰した際に、省電力動作モード中の経過時間をコントローラ部２０１から取得し、その経過時間を昇温抑制処理に反映させることで、省電力動作モードからの復帰後も、昇温抑制処理を精度良く行うことができる。また、エンジン制御部は、指定した時間後にコントローラ部から省電力動作モードからの復帰指示を受信し、定期的に定着器の微小回転処理を行うことで、省電力動作モードであっても、定着器の微小回転処理を所望のタイミングで行うことができる。【選択図】図１
2015014696.tif 000002
【特許請求の範囲】
【請求項１】
画像形成部の動作を制御するエンジン制御部と、該エンジン制御部と通信可能に接続されたコントローラ部と、画像形成動作を実行する通常動作モードと、前記エンジン制御部の動作が停止される省電力動作モードを備えた画像形成装置において、
前記省電力動作モードに移行した状態において、前記省電力動作モードから前記通常動作モードに復帰する手段と、
前記省電力動作モード中の経過時間を測定する前記コントローラ部の時間計測手段と、を備え、
前記エンジン制御部は前記省電力動作モードから通常動作モードに復帰した際に、前記時間計測手段によって計測された前記省電力動作モード中の経過時間を前記コントローラ部から取得し、その経過時間を前記省電力モード復帰後の動作条件に反映させること、を特徴とする画像形成装置。
【請求項２】
省電力モード復帰後の動作条件とは、画像形成装置内の温度上昇度合いを一定時間毎に予測計算し、前記予測計算結果によって画像形成動作を中断するかどうかを判断し制御する動作の条件であることを特徴とする請求項１に記載の画像形成装置。
【請求項３】
画像形成部の動作を制御するエンジン制御部と、該エンジン制御部と通信可能に接続されたコントローラ部と、画像形成動作を実行する通常動作モードと、前記エンジン制御部の動作が停止される省電力動作モードを備えた画像形成装置において、
前記省電力動作モードに移行した状態において、前記省電力動作モードから前記通常動作モードに復帰する手段と、
前記省電力動作モードに移行する際に、前記エンジン制御部が前記省電力動作モードから復帰させる時間をコントローラ部に指示する復帰時間指示手段と、
前記省電力動作モードに移行してから前記復帰時間指示手段によって指示された時間経過後に、前記コントローラ部が前記エンジン制御部を前記省電力動作モードから復帰させる復帰手段と、を備え、
前記エンジン制御部は前記復帰手段によって前記省電力動作モードから復帰した際に、所定の動作を行い、再び前記省電力動作モードに移行することを特徴とする画像形成装置。
【請求項４】
前記エンジン制御部が前記コントローラ部に指示する前記省電力動作モードから復帰させる時間は、可変であることを特徴とする請求項３に記載の画像形成装置。
【請求項５】
前記省電力動作モードに移行した状態において、前記コントローラ部からの復帰信号によって前記省電力動作モードから前記通常動作モードに復帰することを特徴とする請求項１乃至請求項４の何れか１項に記載の画像形成装置。
【発明の詳細な説明】
【技術分野】
【０００１】
本発明は、複写機・レーザプリンタ等の画像形成装置に関するものである。
【背景技術】
【０００２】
近年、プリンタや複写機、ファクシミリ等の画像形成装置において、消費電力の低減が強く求められてきている。特に、画像形成装置においては、動作を行っていない待機状態において装置の消費電力を低減させて省電力化することが要求されている。このような省電力化に対応すべく、画像形成装置の待機状態において必要最低限のユニットにのみ電力を供給する省電力動作モードを有する装置が増えてきている。省電力動作モードの一例としては、例えばＭＰＵを含む制御ユニットのみに電力を供給し、制御ユニット以外の他のユニットへの電力供給を遮断する動作モードが知られている（特許文献１）。
【０００３】
しかしながら特許文献１に示された省電力装置は、省電力動作モードのときでも、ＭＰＵが動作しているため大幅な省電力の実現が困難であった。
【０００４】
そこで、例えば、特許文献２のように、省電力動作モードのときに制御部（制御用のＭＰＵ）の電力供給は維持して、ＭＰＵの発振動作を停止する方式（ストップモードと呼ぶ）も提案されている。
【先行技術文献】
【特許文献】
【０００５】
【特許文献１】特開平６−５４１０２号公報
【特許文献２】特開２０００−３０７７８４号公報
【発明の概要】
【発明が解決しようとする課題】
【０００６】
しかしながら、上記従来例では、省電力は実現できるものの、ＭＰＵの発振動作を停止させてしまうために、従来、省電力動作モードの時に行っていた以下のような動作ができなくなり、画像品質を低下させてしまう課題があった。
【０００７】
1つ目の動作として、昇温抑制処理が挙げられる。これは、画像形成装置内の温度上昇を一定時間毎に予測計算し、予測計算結果がある閾値を超えた場合には、画像形成動作を中断することで、過度の昇温によってトナーがカートリッジ内で固着して画像不良が発生するのを防いでいる。前記予測計算は、省電力動作モード中も一定時間毎に継続して行うことで、省電力動作モードから通常動作モードに復帰した後も、前記予測計算を精度良く行うことができる。
【０００８】
2つ目の動作として、定着のローラ変形防止処理が挙げられる。これは、定着ローラと加圧ローラが圧接された状態で長時間放置されることによって、定着ローラや加圧ローラの接地部分が変形してしまうことを回避するために、省電力動作モードに移行してからも所定時間経過毎に、定着器を微小回転させている（以降、「定着器の微小回転処理」と呼ぶ）。
【０００９】
上記のような動作は、省電力動作モードの時にＭＰＵの発振動作を停止させてしまうと、動作できなくなってしまう。
【００１０】
本発明は、このような問題に鑑みてなされたもので、第一の発明の目的は、画像品質を低下させることなく、省電力化を実現することができる画像形成装置を提供することを目的とする。
【課題を解決するための手段】
【００１１】
請求項１記載の画像形成装置において、
画像形成部の動作を制御するエンジン制御部と、該エンジン制御部と通信可能に接続されたコントローラ部と、画像形成動作を実行する通常動作モードと、前記エンジン制御部の動作が停止される省電力動作モードを備えた画像形成装置において、
前記省電力動作モードに移行した状態において、前記省電力動作モードから前記通常動作モードに復帰する手段と、
前記省電力動作モード中の経過時間を測定する前記コントローラ部の時間計測手段と、を備え、前記エンジン制御部は前記省電力動作モードから通常動作モードに復帰した際に、前記時間計測手段によって計測された前記省電力動作モード中の経過時間を前記コントローラ部から取得し、その経過時間を前記省電力モード復帰後の動作条件に反映させること、を特徴とする。
【００１２】
請求項２記載の画像形成装置において、
請求項１の画像形成装置における、省電力モード復帰後の動作条件とは、画像形成装置内の温度上昇度合いを一定時間毎に予測計算し、前記予測計算結果によって画像形成動作を中断するかどうかを判断し制御する動作の条件であること、を特徴とする。
【００１３】
請求項３記載の画像形成装置において、
画像形成部の動作を制御するエンジン制御部と、該エンジン制御部と通信可能に接続されたコントローラ部と、画像形成動作を実行する通常動作モードと、前記エンジン制御部の動作が停止される省電力動作モードを備えた画像形成装置において、
前記省電力動作モードに移行した状態において、前記省電力動作モードから前記通常動作モードに復帰する手段と、前記省電力動作モードに移行する際に、前記エンジン制御部が前記省電力動作モードから復帰させる時間をコントローラ部に指示する復帰時間指示手段と、前記省電力動作モードに移行してから前記復帰時間指示手段によって指示された時間経過後に、前記コントローラ部が前記エンジン制御部を前記省電力動作モードから復帰させる復帰手段と、を備え、
前記エンジン制御部は前記復帰手段によって前記省電力動作モードから復帰した際に、所定の動作を行い、再び前記省電力動作モードに移行することを特徴とする。
【００１４】
請求項４記載の画像形成装置において、
請求項３の画像形成装置における、前記エンジン制御部が前記コントローラ部に指示する前記省電力動作モードから復帰させる時間は、可変であることを特徴とする。
【００１５】
請求項５記載の画像形成装置において、
請求項１から４の画像形成装置における、前記省電力動作モードに移行した状態において、前記コントローラ部からの復帰信号によって前記省電力動作モードから前記通常動作モードに復帰すること、を特徴とする。
【発明の効果】
【００１６】
以上で述べた通り、本発明によれば、エンジン制御部は省電力動作モードから復帰した際に、省電力動作モード中の経過時間をコントローラ部から取得し、その経過時間を昇温抑制処理に反映させることで、省電力動作モードからの復帰後も、昇温抑制処理を精度良く行うことができる。また、エンジン制御部は、省電力動作モードに移行した後、指定した時間後にコントローラ部から省電力動作モードからの復帰指示を受信し、定期的に定着器の微小回転処理を行うことで、ＭＰＵの発振が停止する省電力動作モードであっても、定着器の微小回転処理を所定のタイミングで行うことができる。以上により、画像形成装置は、画像品質を低下させることなく、省電力化を実現することができる。
【図面の簡単な説明】
【００１７】
【図１】画像形成装置システム構成図
【図２】画像形成装置全体構成図
【図３】実施例１におけるＭＰＵの内部構成を示すブロック図
【図４】実施例１におけるＭＰＵ周辺回路を示す図
【図５】実施例１における昇温抑制処理の動作を示す図
【図６】実施例１における通常動作モードから省電力動作モードへの移行を示す図
【図７】実施例１における省電力動作モードから通常動作モードへの復帰を示す図
【図８】実施例２における通常動作モードから省電力動作モードへの移行を示す図
【図９】実施例２における省電力動作モードから通常動作モードへの復帰を示す図
【図１０】実施例３における通常動作モードから省電力動作モードへの移行を示す図
【図１１】実施例３における省電力動作モードから通常動作モードへの復帰を示す図
【発明を実施するための形態】
【００１８】
［実施例１］
実施例１では、省電力動作モードから復帰した際に、エンジン制御部は省電力動作モード中の経過時間をコントローラ部から取得し、その経過時間を昇温抑制処理に反映させることで、省電力動作モードからの復帰後も、昇温抑制処理を精度良く行う手法について説明する。
【００１９】
図1は、画像形成装置のシステム構成を説明するためのブロック図である。コントローラ部２０１は、ホストコンピュータ２００、エンジン制御部２０３と相互に通信が可能となっている。コントローラ部２０１は、ホストコンピュータ２００から画像情報と印字命令を受け取り、受け取った画像情報を解析してビットデータに変換し、ビデオインターフェイス部２１０を介して、転写材毎に印字予約コマンド、印字開始コマンド、および、ビデオ信号をエンジン制御部２０３に送出する。
【００２０】
コントローラ部２０１は、エンジン制御部２０３へ、ホストコンピュータ２００からの印字命令に従って印字予約コマンドを送信し、印字可能な状態となったタイミングで、エンジン制御部２０３へ印字開始コマンドを送信する。エンジン制御部２０３は、コントローラ部２０１からの印字予約コマンドの順に印字の実行準備を行い、コントローラ部２０１からの印字開始コマンドを待つ。エンジン制御部２０３は、印字指示を受信すると、コントローラ部２０１に、ビデオ信号の出力の基準タイミングとなる/ＴＯＰ信号を出力し、印字予約コマンドに従って印字動作を開始する。印字動作を開始したエンジン制御部２０３は、ＣＰＵ２１１、画像処理ＧＡ２１３、画像制御部２１３、定着制御部２１４、用紙搬送部２１５、駆動制御部２１６を制御して印字動作に必要な画像形成動作を実行する。
【００２１】
エンジン制御部２０３には、マイクロ・プロセッサ・ユニット（以下、ＭＰＵともいう）２０３aを搭載しており、コントローラ部に搭載しているＭＰＵ２０１aとシリアル通信により情報の双方向通信を行う。
【００２２】
図2で画像形成装置としてのレーザプリンタ全体の構成についての概略を説明する。
レーザプリンタは、図 2に示す様に画像形成部において、図示しないコントローラ部から送信された画像信号に基づいて形成される画像光により静電潜像を形成し、この静電潜像を現像して可視画像を重畳転写してカラー可視画像を形成し、このカラー可視画像を転写材２へ転写し、その転写材２上のカラー可視画像を定着させるもので、画像形成部は、現像色分並置したステーション毎の感光体（５Ｙ、５Ｍ、５Ｃ、５Ｋ）、一次帯電手段としての注入帯電手段（７Ｙ、７Ｍ、７Ｃ、７Ｋ）、現像手段（８Ｙ、８Ｍ、８Ｃ、８Ｋ）、トナーカートリッジ（１１Ｙ、１１Ｍ、１１Ｃ、１１Ｋ）、中間転写体１２、給紙部１、転写部および定着部１３によって構成されている。
【００２３】
定着部１３は、転写材２を搬送させながら、転写されたカラー可視画像を定着させるものであり、転写材２を加熱する定着ローラ１５と転写材２を定着ローラ１５に圧接させるための加圧ローラ１４とを備えている。定着ローラ１５と加圧ローラ１４は中空状に形成され、内部にそれぞれヒータ１６、１７が内蔵されている。すなわち、カラー可視画像を保持した転写材２は定着ローラ１４と加圧ローラ１５により搬送されるとともに、熱および圧力を加えることによりトナーが表面に定着される。可視画像定着後の転写材２は、排紙部に排出して画像形成動作を終了する。
【００２４】
図3にエンジン制御用のＭＰＵ２０３aの内部構成を示す。ＭＰＵ２０３aは主に、コア４５１、ＲＡＭ４５２、フラッシュメモリ４５３、入出力用のタイマ４５４、シリアルインターフェース４５５、Ａ／Ｄコンバータ４５６、外部割込み制御部４５７、Ｉ／Ｏポート４５８、クロック発生部４５９から構成されている。コア４５１は、クロック発生部４５９のクロックに基づき動作する。そして、ＲＡＭ４５２、フラッシュメモリ４５３、入出力用のタイマ４５４、シリアルインターフェース４５５からのデータやＡ／Ｄコンバータ４５６、割込み制御部４５７、Ｉ／Ｏポート４５８からの入力に基づく、データの高速処理が可能である。
【００２５】
ＲＡＭ４５２は、電源の供給の停止とともに記憶内容が消去される揮発性メモリであり、処理のためのデータを一時的に記憶する。フラッシュメモリ４５３は、制御用のプログラム及びデータが格納される。なお、本実施例においては、画像形成装置の画像形成動作を制御するためのプログラムやデータが記憶される。入出力用のタイマ４５４はクロック発生部４５９からの内部発振クロックに同期してカウントアップ動作するカウンタである。シリアルインターフェース４５５は、上記のコントローラ用のＭＰＵ２０１ａとシリアル通信して情報の双方向通信を行う。Ａ／Ｄコンバータ４５６は、例えば、画像形成動作に関連する動作電圧のアナログ電圧値をデジタル値に変換する。
【００２６】
動作電圧としては、例えば画像形成装置の定着器の温度を検知するためのサーミスタからの電圧値（アナログ電圧値）をデジタル値に変換する。割込み制御部４５７は、外部からのイベントの発生に応じた割込み信号に応じて実行中の処理を一時中断して、別に定義したプログラムヘ制御を移行するために使用される。Ｉ／Ｏポート４５８はコア４５１からＭＰＵ２０３aのＩ／Ｏ端子から制御信号を出力するために用いられる。例えば、Ｉ／Ｏポート４５８からの制御信号により画像形成装置のモータの駆動や高電圧の印加動作が制御される。また、逆にＩ／Ｏポートに入力された各種センサからの信号が入力され、入力された信号に基づきコア４５１が処理を実行する。
【００２７】
次に、本実施例の省電力動作モードについて詳細に説明する。本実施例の省電力動作モードは、コントローラ部のＭＰＵ２０１aによって省電力動作モードへの移行及び通常動作モードへの復帰の制御を実施する動作モードである。コントローラ部のＭＰＵ２０１aから省電力動作モードへの移行を指示された場合、図 4 の網掛け状態で示すように、エンジン制御部のＭＰＵ２０３aは発振動作を停止させる。一方で、コントローラ部のＭＰＵ２０１aは、省電力動作モード中であっても、ホストコンピュータ２００から画像形成動作指示を受け付ける必要があるため、電力が供給された状態であり、発振動作も停止していない。また、ＭＰＵ２０１aからＭＰＵ２０３ａに対して復帰信号を出力する信号線Ｌがある。
【００２８】
まず、通常動作モードから省電力動作モードへの移行について説明する。図 4において、コントローラ用のＭＰＵ２０１ａは、前回の画像形成動作が完了してからの所定時間（例えば１０分間）が経過すると、エンジン制御用のＭＰＵ２０３ａにシリアル通信で省電力動作モードへの移行を指示するモード移行コマンドを送信する。ＭＰＵ２０３ａは、シリアルインターフェース４５５を介してＭＰＵ１０３ａからのモード移行コマンドを受信する。次に、ＭＰＵ２０３ａは、ＭＰＵ２０１ａからの復帰信号（図 4の信号線Ｌを介する）を割込み制御部４５７で検知するようにＩ／Ｏポート４５８を設定する。そして、ＭＰＵ２０３ａの発振動作を停止させて省電力動作モードへ移行する。
【００２９】
次に、省電力動作モードから通常動作モードへの復帰について説明する。例えば、コントローラ２０１がホストコンピュータ２００からプリントコマンドを受信し、上記の復帰信号をエンジン制御用ＭＰＵ２０３ａに出力した場合は、エンジン制御用のＭＰＵ２０３ａに対して割込み要求が発生する。割込み信号に基づく割込み要求が発生するとエンジン制御用のＭＰＵ２０３ａは発振動作を開始する。コントローラ２０１は、復帰信号をエンジン制御用ＭＰＵ２０３ａに出力した後、シリアル通信によって通常動作モードへ移行指示コマンドやプリントコマンドに関連した情報をＭＰＵ２０３ａに送信する。このように本実施例では、省電力動作モードではコントローラ２０１によってエンジン制御用のＭＰＵ２０３ａの動作モードの移行及び復帰が制御される。
【００３０】
次に、本実施例の昇温抑制処理について図 5を用いて詳細に説明する。昇温抑制処理とはモータの駆動による発熱によってトナーがカートリッジ内で固着して画像不良が発生するのを防ぐのが目的である。具体的には、画像形成装置内の温度上昇を一定間隔で予測計算し、予測計算結果がある閾値を超えた場合に画像形成動作を中断し（昇温抑制モードと呼ぶ）、所定時間後に画像形成動作を再開させる。このような間欠動作を行うことで、画像形成装置内の温度上昇を抑えている。
【００３１】
本実施例では、図 5に示すように昇温カウンタという内部カウンタを使って制御している。エンジン制御部２０３は１秒毎に昇温カウンタを更新しており、画像形成動作中は昇温カウンタを１ずつインクリメントし、画像形成動作を行っていない場合は、昇温カウンタを４ずつデクリメントしている。図 5では、エンジン制御部２０３が画像形成動作を１００分連続して行った後、昇温抑制モードを１分維持し、その後画像形成動作を４分連続して行った後に、昇温抑制モードを１分維持している動作を示している。エンジン制御部２０３は、連続して画像形成動作を行い昇温カウンタが６０００カウントを超えた場合（図 5のA）、画像形成中の転写材が画像形成装置外に排出された時点で、画像形成動作を中断して昇温抑制モードに移行する（図 5のB）。
【００３２】
昇温抑制モードに移行したエンジン制御部２０３は、昇温カウンタをデククリメントし、昇温カウンタが５７６０カウントを下回るまで、昇温抑制モードを維持する。エンジン制御部２０３は、昇温カウンタが５７６０カウントを下回った時点で（図 5のC）、コントローラ部２０１から画像形成動作の指示がある場合には、画像形成動作を再開する。エンジン制御部２０３はこのような間欠動作を行うことで、画像形成装置内の温度上昇を抑えている。
【００３３】
次に、図 6、図 7のフローチャートを用いて、通常動作モードから省電力動作モードに移行する際と、省電力動作モードから通常動作モードに復帰する際の昇温抑制処理について詳細に説明する。
【００３４】
図 6のメインルーチンの動作のフローチャートに示すように、画像形成装置に電源が投入されると、エンジン制御部２０３はイニシャル処理を行って、画像形成動作を行う準備を行う（Ｓ１）。エンジン制御部２０３はコントローラ部２０１から画像形成動作の指示があるかどうかを確認し（Ｓ２）、画像形成動作の指示があれば画像形成動作を行う（Ｓ３）。エンジン制御部２０３は、画像形成動作が終了するとスタンバイ状態に遷移する（Ｓ４）。エンジン制御部２０３は、これら画像形成動作およびスタンバイ状態の時に昇温抑制処理を継続的に行っている。スタンバイ状態に遷移したエンジン制御部２０３は、コントローラ部２０１から省電力動作モードへの移行指示コマンドを受信しているかどうかを判断する（Ｓ５）。省電力動作モードへの移行指示コマンドを受信している場合には、エンジン制御部２０３はコントローラ部２０１に対して、その時点を基点として省電力動作モードから復帰するまでの経過時間を測定するようにシリアル通信によって指示をする（Ｓ６）。コントローラ部２０１は、前記測定指示を受けて、経過時間測定用のタイマーを開始する。
【００３５】
次にエンジン制御部２０３は、省電力動作モードへの移行処理を行う（Ｓ７）。具体的には、エンジン制御部２０３はまず、不図示の駆動ユニットへの電力供給を遮断し、次に、ＭＰＵ２０１ａからの復帰信号（図 4の信号線Ｌを介する）を割込み制御部４５７で検知するようにＩ／Ｏポート４５８を設定し、ＭＰＵ２０３ａの発振動作を停止させる。
【００３６】
次に図 7において、省電力動作モードから通常動作モードに復帰する際の処理を説明する。省電力動作モードになっているときに、エンジン制御用のＭＰＵ２０３ａに対して割込み要求が発生するとエンジン制御用のＭＰＵ２０３ａは発振動作を開始する。エンジン制御部２０３は、省電力動作モードからの復帰処理を行う（Ｓ１１）。
【００３７】
具体的には、エンジン制御部２０３はまず、ＭＰＵ２０１ａからの復帰信号（図 4の信号線Ｌを介する）の割込み信号をマスクするようにＩ／Ｏポート４５８を設定し、次に不図示の駆動ユニットへの電力供給を行う。エンジン制御部２０３はコントローラ部２０１から通常動作モードへの復帰指示コマンドを受信しているかどうかを判断する（Ｓ１２）。エンジン制御部２０３はコントローラ部２０１から省電力動作モード中の経過時間をシリアル通信によって取得し（Ｓ１３）、取得した前記経過時間を昇温抑制処理に反映させる（Ｓ１４）。そして、エンジン制御部２０３はスタンバイ状態に遷移する（Ｓ１５）。
【００３８】
上述した通り、本実施例では、省電力動作モードから復帰した際に、エンジン制御部は省電力動作モード中の経過時間をコントローラ部から取得し、その経過時間を昇温抑制処理に反映させることで、ＭＰＵの発振が停止する省電力動作モードからの復帰後も、昇温抑制処理を精度良く行うことができる。その結果、画像品質を低下させること無く、省電力化を実現できる。
【００３９】
なお、本発明は上記実施例に限定されるものではなく、本発明の趣旨に基づいて種々の変形が可能であり、これらを本発明の範囲から除くものではない。
【００４０】
［実施例２］
実施例２では、エンジン制御部２０３は、省電力動作モード移行した後、指定した時間後にコントローラ部から省電力動作モードからの復帰指示を受信し、定期的に定着器の微小回転処理を行うことで、ＭＰＵの発振が停止する省電力動作モードであっても、定着器の微小回転処理を所定のタイミングで行う手法について説明する。
【００４１】
図 8、図 9のフローチャートを用いて、通常動作モードから省電力動作モードに移行する際と、省電力動作モード中の動作について詳細に説明する。
【００４２】
図 8のメインルーチンの動作のフローチャートに示すように、画像形成装置に電源が投入されると、エンジン制御部２０３はイニシャル処理を行って、画像形成動作を行う準備を行う（Ｓ２１）。エンジン制御部２０３はコントローラ部２０１から画像形成動作の指示があるかどうかを確認し（Ｓ２２）、画像形成動作の指示があれば画像形成動作を行う（Ｓ２３）。エンジン制御部２０３は、画像形成動作が終了するとスタンバイ状態に遷移する（Ｓ２４）。エンジン制御部２０３は、スタンバイ状態のときに、スタンバイ状態が所定時間（Ｔ１）以上継続したかどうかを判断する（Ｓ２５）。
【００４３】
本実施例ではＴ１＝８時間とする。スタンバイ状態が所定時間（Ｔ１）以上継続している場合には、エンジン制御部２０３は定着部１３、具体的には定着ローラ１５と加圧ローラ１４を微小回転させる（Ｓ２６）。ここでエンジン制御部２０３が定着部１３を微小回転させるのは、定着ローラと加圧ローラが圧接された状態で長時間放置されることによって、定着ローラや加圧ローラの接地部が変形してまうことによって、画像不良が発生するのを回避するためである。エンジン制御部２０３は、スタンバイ状態のとき、コントローラ部２０１から省電力動作モードへの移行指示コマンドを受信しているかどうかを判断する（Ｓ２７）。
【００４４】
省電力動作モードへの移行指示コマンドを受信している場合には、エンジン制御部２０３はコントローラ部２０１に対して、その時点を基点として省電力動作モードから復帰させたい時間（Ｔｗ）を指示する（Ｓ２８）。本実施例では、定着部１３を微小回転させる時間（Ｔ１）までの残り時間をＴｗとしてコントローラ部２０１にシリアル通信によって指示する。コントローラ部２０１は、前記時間指示を受けてタイマーを開始し、Ｔｗ時間経過後にエンジン制御部２０３を省電力動作モードから一時的に復帰させる準備を行う。エンジン制御部２０３は、省電力動作モードへの移行処理を行う（Ｓ２９）。
【００４５】
次に図 9において、省電力動作モード中の処理を説明する。省電力動作モードになっているときに、エンジン制御用のＭＰＵ２０３ａに対して割込み要求が発生するとエンジン制御用のＭＰＵ２０３ａは発振動作を開始する。エンジン制御部２０３は、省電力動作モードからの復帰処理を行う（Ｓ３１）。エンジン制御部２０３はコントローラ部２０１からコマンドを受信しているかどうかを判断し（Ｓ３２）、省電力動作モードからの一時的な復帰を指示するコマンド（以下、ショート復帰コマンドと呼ぶ）である場合、エンジン制御部２０３は定着部１３を微小回転させる（Ｓ３３）。
【００４６】
エンジン制御部２０３は定着部１３の微小回転が終了した後、コントローラ部２０１に対して、その時点を基点として省電力動作モードから復帰させたい時間（Ｔｗ）を指示する（Ｓ３４）。コントローラ部２０１は、前記時間指示を受けてタイマーを開始し、Ｔｗ時間経過後にエンジン制御部２０３を省電力動作モードから復帰させる準備を行う。エンジン制御部２０３は、省電力動作モードへの移行処理を行う（Ｓ３５）。Ｓ３２において、コントローラ部２０１からのコマンドが通常動作モードへの復帰指示である場合、エンジン制御部２０３はスタンバイ状態に遷移する（Ｓ３６）。
【００４７】
上述した通り、本実施例では、エンジン制御部は省電力動作モードに移行した後、指定した時間にコントローラ部から省電力動作モードからの復帰指示を受信し、定期的に定着器の微小回転処理を行うことで、ＭＰＵの発振が停止する省電力動作モードであっても、定着器の微小回転処理を所定のタイミングで行うができる。その結果、定着部１３の変形による画像不良が発生させることなく、省電力化を実現できる。
【００４８】
なお、本発明は上記実施例に限定されるものではなく、本発明の趣旨に基づいて種々の変形が可能であり、これらを本発明の範囲から除くものではない。
【００４９】
［実施例３］
実施例３では、エンジン制御部は２０３、指定した時間後にコントローラ部２０１から省電力動作モードからの復帰指示を受信し、定期的に中間転写体１２の微小回転処理を行うことで、ＭＰＵの発振が停止する省電力動作モードであっても、中間転写体１２の微小回転処理を所定のタイミングで行う手法について説明する。実施例２と異なる特徴は、エンジン制御部がコントローラ部に指定する時間を、画像形成装置が設置された環境に応じて変化させている点である。
【００５０】
図 10、図 11のフローチャートを用いて、通常動作モードから省電力動作モードに移行する際と、省電力動作モード中の動作について詳細に説明する。
【００５１】
図 10のメインルーチンの動作のフローチャートに示すように、画像形成装置に電源が投入されると、エンジン制御部２０３はイニシャル処理を行って、画像形成動作を行う準備を行う（Ｓ４１）。エンジン制御部２０３はコントローラ部２０１から画像形成動作の指示があるかどうかを確認し（Ｓ４２）、画像形成動作の指示があれば画像形成動作を行う（Ｓ４３）。エンジン制御部２０３は、画像形成動作が終了するとスタンバイ状態に遷移する（Ｓ４４）。エンジン制御部２０３は、スタンバイ状態のときに、スタンバイ状態が所定時間（Ｔ２）以上継続したかどうかを判断する（Ｓ４５）。
【００５２】
スタンバイ状態が所定時間（Ｔ２）以上継続している場合には、エンジン制御部２０３は中間転写体１２を微小回転させる（Ｓ４６）。ここでエンジン制御部２０３が中間転写体１２を微小回転させるのは、中間転写体１２が長時間停止したまま放置されることによって、図 2の１２a、１２ｂの箇所に駆動ローラに沿った形状跡（以下、巻き癖と呼ぶ）が発生してしまうことによって、画像不良が発生するのを回避するためである。
【００５３】
そのため、エンジン制御部２０３は中間転写体１２を微小回転させて、前回停止位置と異なる位置で中間転写体１２を停止させる。前記巻き癖具合は、画像形成装置設置環境によって異なり、高温である程巻き癖具合が大きくなるため、本実施例では、温度センサ検知温度によって、Ｔ２の時間を以下のように可変とする。
２８度以上              ；４時間
１７度以上２８度未満    ；１５時間
１７度未満              ；２４時間
なお、温度センサ検知温度とは、エンジン制御部のMPU２０３ａが不図示の温度センサで検知する温度である。
【００５４】
エンジン制御部２０３は、スタンバイ状態のとき、コントローラ部２０１から省電力動作モードへの移行指示コマンドを受信しているかどうかを判断する（Ｓ４７）。省電力動作モードへの移行指示コマンドを受信している場合には、エンジン制御部２０３はコントローラ部２０１に対して、その時点を基点として省電力動作モードから復帰させたい時間（Ｔｗ）を指示する（Ｓ４８）。本実施例では、中間転写体１２を微小回転させる時間（Ｔ２）までの残り時間をＴｗとしてコントローラ部２０１にシリアル通信によって指示する。
【００５５】
コントローラ部２０１は、前記時間指示を受けてタイマーを開始し、Ｔｗ時間経過後にエンジン制御部２０３を省電力動作モードから一時的に復帰させる準備を行う。エンジン制御部２０３は、省電力動作モードへの移行処理を行う（Ｓ４９）。
【００５６】
次に図 11において、省電力動作モード中の処理を説明する。省電力動作モードになっているときに、エンジン制御用のＭＰＵ２０３ａに対して割込み要求が発生するとエンジン制御用のＭＰＵ２０３ａは発振動作を開始する。エンジン制御部２０３は、省電力動作モードからの復帰処理を行う（Ｓ５１）。エンジン制御部２０３はコントローラ部２０１からコマンドを受信しているかどうかを判断し（Ｓ５２）、ショート復帰コマンドを受信している場合、エンジン制御部２０３は中間転写体１２を微小回転させる（Ｓ５３）。
【００５７】
エンジン制御部２０３は定着部１３の微小回転が終了した後、コントローラ部２０１に対して、その時点を基点として省電力動作モードから復帰させたい時間（Ｔｗ）を指示する（Ｓ３４）。コントローラ部２０１は、前記時間指示を受けてタイマーを開始し、Ｔｗ時間経過後にエンジン制御部２０３を省電力動作モードから復帰させる準備を行う。エンジン制御部２０３は、省電力動作モードへの移行処理を行う（Ｓ５５）。Ｓ５２において、コントローラ部２０１からのコマンドが通常動作モードへの復帰指示である場合、エンジン制御部２０３はスタンバイ状態に遷移する（Ｓ５６）。
【００５８】
上述した通り、本実施例では、エンジン制御部は省電力動作モードに移行した後、指定した時間後にコントローラ部から省電力動作モードからの復帰指示を受信し、定期的に中間転写体の微小回転処理を行うことで、ＭＰＵの発振が停止する省電力動作モードであっても、中間転写体の微小回転処理を所定のタイミングで行うことができる。また、エンジン制御部がコントローラ部に指定する前記復帰時間を、画像形成装置が設置された環境温度に応じて変化させることで、設置環境温度に応じた最適なタイミングで中間転写体の微小回転処理を行うことができる。その結果、中間転写体の巻き癖による画像不良が発生させることなく、省電力化を実現できる。
【００５９】
なお、本発明は上記実施例に限定されるものではなく、本発明の趣旨に基づいて種々の変形が可能であり、これらを本発明の範囲から除くものではない。
【符号の説明】
【００６０】
１・・給紙部
２・・転写材
５・・感光体
７・・帯電手段
８・・現像手段
９・・転写ローラ
１０・・スキャナ部
１２・・中間転写体
１３・・定着部
１９・・レジセンサ
２０・・定着排紙センサ
２１・・クリーニング手段
２８・・排紙センサ
２００・・ホストコンピュータ
２０１・・コントローラ
２０３・・エンジン制御部
２１１・・ＣＰＵ
２２１・・ＲＯＭ
【図１】
2015014696.tif 000003
【図２】
2015014696.tif 000004
【図３】
2015014696.tif 000005
【図４】
2015014696.tif 000006
【図５】
2015014696.tif 000007
【図６】
2015014696.tif 000008
【図７】
2015014696.tif 000009
【図８】
2015014696.tif 000010
【図９】
2015014696.tif 000011
【図１０】
2015014696.tif 000012
【図１１】
2015014696.tif 000013